【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
ソーシャル・ネットワーキング・システムのユーザのプロファイルを維持する工程であって、前記プロファイルは複数の情報アイテムを含み、前記複数の情報アイテムの各々はデータ・フィールドに関連付けられている、工程と、
１組の候補データ・フィールドを前記ユーザの前記プロファイルから選択する工程と、
前記１組の候補データ・フィールドの各候補データ・フィールドについて、該候補データ・フィールドに関連付けられた前記ユーザの前記複数の情報アイテムのうちの１つの情報アイテムを有することの前記ソーシャル・ネットワーキング・システムにとっての値を決定する値決定工程であって、決定された前記値は、前記ユーザに対し提示されるソーシャル・コンテンツまたは広告をコンポーザ・インターフェースが置き換えるコストに基づく、工程と、
決定された前記値に基づいて前記１組の候補データ・フィールドから候補データ・フィールドを選択する工程と、
前記ソーシャル・ネットワーキング・システムが、選択された前記候補データ・フィールドに関係するフレーズを選択する工程であって、該フレーズは該フレーズを完成させるための前記ユーザに関する構造化データにより前記ユーザによって満たされる欠落した部分を有し、前記フレーズは、選択された前記候補データ・フィールドに関連付けられた前記情報アイテムを求めるように設計されている、工程と、
前記ソーシャル・ネットワーキング・システムが、前記欠落した部分を有する前記フレーズと、前記欠落した部分に対応する入力フィールドとを有するコンポーザ・インターフェースを生成する工程と、
前記ソーシャル・ネットワーキング・システムが、前記ユーザに対する表示のため、生成された前記コンポーザ・インターフェースを送る工程と、
生成された前記コンポーザ・インターフェースの前記入力フィールドを使用して前記ユーザが入れる前記構造化データを受信する工程と、
受信された前記構造化データに基づいて、選択された前記候補データ・フィールドに関連付けられた前記情報アイテムを決定する工程と、
決定された前記情報アイテムを選択された前記候補データ・フィールドとともに前記ユーザの前記プロファイルに記憶する工程と、
を備える方法。
【請求項２】
前記ユーザの前記候補データ・フィールドの情報アイテムを有することの前記ソーシャル・ネットワーキング・システムにとっての決定した前記値を評価する関数に基づいて、前記１組の候補データ・フィールドにおける各候補データ・フィールドについてのスコアを決定する工程をさらに備える、請求項１に記載の方法。
【請求項３】
選択された前記候補データ・フィールドは、選択された前記候補データ・フィールドの決定された前記スコアに基づいて選択される、請求項２に記載の方法。
【請求項４】
各候補データ・フィールドの前記スコアは、前記ユーザからの前記構造化データを含む応答を得る確率に部分的に基づく、請求項２に記載の方法。
【請求項５】
前記ユーザからの前記応答を得る前記確率は、前記ユーザの履歴応答率に基づく、請求項４に記載の方法。
【請求項６】
前記ユーザからの前記応答を得る前記確率は、前記ユーザのつながりの履歴応答率に基づく、請求項４に記載の方法。
【請求項７】
前記候補データ・フィールドに関連付けられた前記ユーザの情報アイテムを有することの前記ソーシャル・ネットワーキング・システムに対する決定した前記値は、前記情報アイテムを使用することから生成される予測収入に基づく、請求項１に記載の方法。
【請求項８】
前記候補データ・フィールドに関連付けられた前記ユーザの情報アイテムを有することの前記ソーシャル・ネットワーキング・システムに対する決定した前記値は、前記情報アイテムを使用することから生成されるユーザ・エンゲージメントの予測増加に基づく、請求項１に記載の方法。
【請求項９】
生成された前記コンポーザ・インターフェースは、ニュースフィード記事により前記ユーザに送られる、請求項１に記載の方法。
【請求項１０】
生成された前記コンポーザ・インターフェースは、ニュース記事に関する前記ユーザによるアクションに応答して、前記ユーザに対する表示のために送られる、請求項１に記載の方法。
【請求項１１】
生成された前記コンポーザ・インターフェースは、前記ユーザのつながりが前記ソーシャル・ネットワーキング・システムに対してコンテンツを投稿することに応答して、前記ユーザに対する表示のために送られる、請求項１に記載の方法。
【請求項１２】
前記１組の候補データ・フィールドは、関連する情報アイテムを有しない、請求項１に記載の方法。
【請求項１３】
前記入力フィールドは、１つのカテゴリの単語を受け付けるように構成されている、請求項１に記載の方法。
【請求項１４】
前記カテゴリの単語は、名詞、動詞、形容詞、および副詞からなる群から選択される、請求項１３に記載の方法。
【請求項１５】
生成された前記コンポーザ・インターフェースの前記入力フィールドに前記ユーザが入れる入力を受信する工程と、
受信された前記入力に基づいて、ソーシャル・グラフにおけるノードとして表される１つまたは複数のグラフ・オブジェクトを識別する工程であって、前記ソーシャル・グラフ
は、ユーザと、前記ソーシャル・グラフにおけるノードを接続するエッジとして表されるオブジェクトとの間の対話を記録する、工程と、
前記ユーザが前記入力フィールドに対する前記入力として選択可能である、識別された前記１つまたは複数のグラフ・オブジェクトに対応する選択可能なオプションのリストを前記ユーザに提示する工程と、
をさらに備える請求項１に記載の方法。
【請求項１６】
サーバ・システムによって実行されるように構成された１つまたは複数のプログラムを記憶する非一時的なコンピュータ可読記憶媒体であって、前記１つまたは複数のプログラムは、
ソーシャル・ネットワーキング・システムのユーザのプロファイルを維持する工程であって、前記プロファイルは複数の情報アイテムを含み、前記複数の情報アイテムの各々はデータ・フィールドに関連付けられている、工程と、
１組の候補データ・フィールドを前記ユーザの前記プロファイルから選択する工程と、
前記１組の候補データ・フィールドの各候補データ・フィールドについて、該候補データ・フィールドに関連付けられた前記ユーザの前記複数の情報アイテムのうちの１つの情報アイテムを有することの前記ソーシャル・ネットワーキング・システムにとっての値を決定する工程であって、決定された前記値は、前記ユーザに対し提示されるソーシャル・コンテンツまたは広告をコンポーザ・インターフェースが置き換えるコストに基づく、工程と、
決定された前記値に基づいて前記１組の候補データ・フィールドから候補データ・フィールドを選択する工程と、
前記ソーシャル・ネットワーキング・システムが、選択された前記候補データ・フィールドに関係するフレーズを選択する工程であって、該フレーズは該フレーズを完成させるための前記ユーザに関する構造化データにより前記ユーザによって満たされる欠落した部分を有し、前記フレーズは、選択された前記候補データ・フィールドに関連付けられた前記情報アイテムを求めるように設計されている、工程と、
前記ソーシャル・ネットワーキング・システムが、前記欠落した部分を有する前記フレーズと、前記欠落した部分に対応する入力フィールドとを有するコンポーザ・インターフェースを生成する工程と、
前記ソーシャル・ネットワーキング・システムが、前記ユーザに対する表示のため、生成された前記コンポーザ・インターフェースを送る工程と、
生成された前記コンポーザ・インターフェースの前記入力フィールドを使用して前記ユーザが入れる前記構造化データを受信する工程と、
受信された前記構造化データに基づいて、選択された前記候補データ・フィールドに関連付けられた前記情報アイテムを決定する工程と、
決定された前記情報アイテムを選択された前記候補データ・フィールドとともに前記ユーザの前記プロファイルに記憶する工程と、
のための命令を含む、非一時的なコンピュータ可読記憶媒体。
【請求項１７】
ソーシャル・ネットワーキング・システムのユーザのプロファイルを維持する工程であって、前記プロファイルは複数のデータ・フィールドを含む、工程と、
１組の候補データ・フィールドを前記ユーザの前記プロファイルから選択する工程と、
前記１組の候補データ・フィールドの各候補データ・フィールドについて、前記候補データ・フィールドに関連付けられた前記ユーザに関する情報アイテムを有することの前記ソーシャル・ネットワーキング・システムにとっての値を評価する関数に基づいて、前記候補データ・フィールドにスコアを付ける工程であって、決定された前記値は、前記ユーザに対し提示されるソーシャル・コンテンツまたは広告をコンポーザ・インターフェースが置き換えるコストに基づく、工程と、
前記１組の候補データ・フィールドから候補データ・フィールドを選択する工程であっ
て、前記選択は、前記１組の候補データ・フィールドのうちの選択された候補データ・フィールドについての前記スコアに基づく、工程と、
前記ソーシャル・ネットワーキング・システムが、選択された前記候補データ・フィールドに関係するフレーズを選択する工程であって、該フレーズは該フレーズを完成させるための前記ユーザに関する構造化データにより前記ユーザによって満たされる欠落した部分を有し、前記フレーズは、選択された前記候補データ・フィールドに関連付けられた前記情報アイテムを求めるように設計されている、工程と、
前記ソーシャル・ネットワーキング・システムが、前記欠落した部分を有する前記フレーズと、前記欠落した部分に対応する入力フィールドとを有するコンポーザ・インターフェースを生成する工程と、
前記ソーシャル・ネットワーキング・システムが、前記ユーザに対する表示のため、生成された前記コンポーザ・インターフェースを送る工程と、
生成された前記コンポーザ・インターフェースの前記入力フィールドを使用して前記ユーザが入れる前記構造化データを受信する工程と、
受信された前記構造化データに基づいて、選択された前記候補データ・フィールドに関連付けられた前記情報アイテムを決定する工程と、
決定された前記情報アイテムを選択された前記候補データ・フィールドとともに前記ユーザの前記プロファイルに記憶する工程と、
を備える方法。
【請求項１８】
前記候補データ・フィールドに関連付けられた前記ユーザの情報アイテムを有することの前記ソーシャル・ネットワーキング・システムに対する前記値は、前記情報アイテムを使用することから生成される予測収入と、前記情報アイテムを使用することから生成されるユーザ・エンゲージメントの予測増加と、前記情報アイテムを取得する結果として決定され得る他の情報の値とのうちの１つ以上に基づく、請求項１６に記載のコンピュータ可読記憶媒体。
【請求項１９】
前記候補データ・フィールドに関連付けられた前記ユーザの情報アイテムを有することの前記ソーシャル・ネットワーキング・システムに対する前記値は、前記情報アイテムを使用することから生成される予測収入と、前記情報アイテムを使用することから生成されるユーザ・エンゲージメントの予測増加と、前記情報アイテムを取得する結果として決定され得る他の情報の値とのうちの１つ以上に基づき、前記スコアは、前記ユーザからの応答を得る確率にさらに基づく、請求項１７に記載の方法。
【請求項２０】
前記値決定工程は、
前記情報アイテムが受信された時間と前記情報アイテムに対応するタイプとに基づき、前記情報アイテムについての新鮮度スコアを決定する工程と、
前記新鮮度スコアに基づき、前記情報アイテムに対する前記値を決定する工程と、を含む請求項１に記載の方法。